(57)【要約】  本発明の実施例は、重複データ伝送機能を制御する方法、端末及びコンピュータ記憶媒体を開示し、前記方法は、端末が、データ無線ベアラ（ＤＲＢ）に対応して設定された指示情報及び／又は所定のルールに応じて、受信したビットマップにおけるビットを決定することであって、前記ビットマップは、受信した２つのビットマップのうちの１つであることと、前記端末が、前記ビットの指示に基づいて前記ＤＲＢの重複データ伝送機能のアクティブ化／非アクティブ化を決定することと、を含む。
2021501494.tif 000002
【特許請求の範囲】
【請求項１】
重複データ伝送機能を制御する方法であって、前記方法は、
端末が、データ無線ベアラ（ＤＲＢ）に対応して設定された指示情報及び／又は所定のルールに応じて、受信したビットマップにおけるビットを決定することであって、前記ビットマップは、受信した２つのビットマップのうちの１つであることと、
前記端末が、前記ビットの指示に基づいて前記ＤＲＢの重複データ伝送機能のアクティブ化／非アクティブ化を決定することと、を含む、前記方法。
【請求項２】
前記ＤＲＢはスプリットＤＲＢであり、前記スプリットＤＲＢは重複データ伝送機能が設定されたスプリットＤＲＢであることを特徴とする
請求項１に記載の方法。
【請求項３】
前記指示情報は、指示識別子と指示ビットとを含み、
前記端末が、ＤＲＢに対応して設定された指示情報に応じて、受信したビットマップにおけるビットを決定することは、
前記端末が、前記指示識別子に基づいて、マスターセルグループ（ＭＣＧ）又はセカンダリセルグループ（ＳＣＧ）に対応して受信したビットマップを前記ＤＲＢのために選択することと、
前記端末が、前記指示ビットに基づいて、前記ビットマップにおけるビットを決定することと、を含むことを特徴とする
請求項２に記載の方法。
【請求項４】
前記指示情報は、指示識別子を含み、
前記端末が、ＤＲＢに対応して設定された指示情報及び所定のルールに応じて、受信したビットマップにおけるビットを決定することは、
前記端末が、前記指示識別子に基づいて、ＭＣＧ又はＳＣＧに対応して受信したビットマップを前記ＤＲＢのために選択することと、
前記端末が、前記ＤＲＢの識別子に基づいて前記ビットマップにおけるビットを決定することと、を含むことを特徴とする
請求項２に記載の方法。
【請求項５】
前記ＤＲＢは非スプリットＤＲＢであり、前記非スプリットＤＲＢは、重複データ伝送機能が設定された非スプリットＤＲＢであることを特徴とする
請求項１に記載の方法。
【請求項６】
前記指示指示情報は、指示ビットを含み、
前記端末が、ＤＲＢに対応して設定された指示情報に基づいて、受信したビットマップにおけるビットを決定することは、
前記端末が、ＭＣＧ又はＳＣＧに対応して受信したビットマップを前記ＤＲＢのために選択することと、
前記端末が、前記指示ビットに基づいて、前記ビットマップにおけるビットを決定することと、を含むことを特徴とする
請求項５に記載の方法。
【請求項７】
前記端末が、所定のルールに応じて、受信したビットマップにおけるビットを決定することは、
前記端末が、ＭＣＧ又はＳＣＧに対応して受信したビットマップを前記ＤＲＢのために選択することと、
前記端末が、前記ＤＲＢの識別子に基づいて、前記ビットマップにおけるビットを決定することと、を含むことを特徴とする
請求項５に記載の方法。
【請求項８】
異なるセルグループの非スプリットＤＲＢに対応して設定された指示情報における指示ビットは同一であるか、又は異なることを特徴とする
請求項６に記載の方法。
【請求項９】
前記端末が、前記ＤＲＢの識別子に基づいて、前記ビットマップにおけるビットを決定することは、
前記端末が前記ＤＲＢの識別子と他のＤＲＢに対応する識別子をランク付けし、前記ＤＲＢの識別子のランキングの位置に応じて、前記ビットマップにおけるビットを決定することを含み、
ここで、前記ランキングは、昇順のランキング又は降順のランキングを含むことを特徴とする
請求項４又は７に記載の方法。
【請求項１０】
前記端末が、ＤＲＢに対応して設定された指示情報及び／又は所定のルールに応じて、受信したビットマップにおけるビットを決定する前に、前記方法は、
前記端末が、ＭＣＧに対応する媒体アクセス制御（ＭＡＣ）エンティティ及びＳＣＧに対応するＭＡＣエンティティのビットマップをそれぞれ受信することを更に含むことを特徴とする
請求項１に記載の方法。
【請求項１１】
前記端末が、ＭＣＧに対応するＭＡＣエンティティ及びＳＣＧに対応するＭＡＣエンティティのビットマップをそれぞれ受信することは、
前記端末の第１ＭＡＣエンティティが、ＭＣＧに対応するＭＡＣエンティティの第１ＭＡＣ制御エレメント（ＭＡＣ  ＣＥ）を受信し、前記第１ＭＡＣ  ＣＥにおけるビットマップを取得することと、
前記端末の第２ＭＡＣエンティティが、ＳＣＧに対応するＭＡＣエンティティの第２ＭＡＣ  ＣＥを受信し、前記第２ＭＡＣ  ＣＥにおけるビットマップを取得することと、を含むことを特徴とする
請求項１０に記載の方法。
【請求項１２】
前記端末が前記ビットの指示に基づいて、前記ＤＲＢの重複データ伝送機能のアクティブ化／非アクティブ化を決定することは、
前記端末のパケットデータ収束プロトコル（ＰＤＣＰ）エンティティが、前記ビットの値に基づいて、前記ＤＲＢの重複データ伝送機能のアクティブ化／非アクティブ化を決定し、前記ＰＤＣＰエンティティが前記ＤＲＢに対応することを含むことを特徴とする
請求項１１に記載の方法。
【請求項１３】
第１決定ユニットと、第２決定ユニットと、を備える端末であって、
前記第１決定ユニットは、データ無線ベアラ（ＤＲＢ）に対応して設定された指示情報及び／又は所定のルールに応じて、受信したビットマップにおけるビットを決定するように設定され、前記ビットマップは、受信した２つのビットマップのうちの１つであり、
前記第２決定ユニットは、前記第１決定ユニットにより決定された前記ビットの指示に基づいて前記ＤＲＢの重複データ伝送機能のアクティブ化／非アクティブ化を決定するように設定される、前記端末。
【請求項１４】
前記ＤＲＢはスプリットＤＲＢであり、前記スプリットＤＲＢは、重複データ伝送機能が設定されたスプリットＤＲＢであることを特徴とする
請求項１３に記載の端末。
【請求項１５】
前記指示情報は、指示識別子と指示ビットとを含み、
前記第１決定ユニットは、前記指示識別子に基づいて、マスターセルグループ（ＭＣＧ）又はセカンダリセルグループ（ＳＣＧ）に対応して受信したビットマップを前記ＤＲＢのために選択し、前記指示ビットに基づいて、前記ビットマップにおけるビットを決定するように設定されることを特徴とする
請求項１４に記載の端末。
【請求項１６】
前記指示情報は、指示識別子を含み、
前記第１決定ユニットは、前記指示識別子に基づいて、ＭＣＧ又はＳＣＧに対応して受信したビットマップを前記ＤＲＢのために選択し、前記ＤＲＢの識別子に基づいて前記ビットマップにおけるビットを決定するように設定されることを特徴とする
請求項１４に記載の端末。
【請求項１７】
前記ＤＲＢは非スプリットＤＲＢであり、前記非スプリットＤＲＢは、重複データ伝送機能が設定された非スプリットＤＲＢであることを特徴とする
請求項１３に記載の端末。
【請求項１８】
前記指示情報は、指示ビットを含み、
前記第１決定ユニットは、ＭＣＧ又はＳＣＧに対応して受信したビットマップを前記ＤＲＢのために選択し、前記指示ビットに基づいて、前記ビットマップにおけるビットを決定するように設定されることを特徴とする
請求項１７に記載の端末。
【請求項１９】
前記第１決定ユニットは、ＭＣＧ又はＳＣＧに対応して受信したビットマップを前記ＤＲＢのために選択し、前記ＤＲＢの識別子に基づいて、前記ビットマップにおけるビットを決定するように設定されることを特徴とする
請求項１７に記載の端末。
【請求項２０】
異なるセルグループの非スプリットＤＲＢに対応して設定された指示情報における指示ビットは同一であるか、又は異なることを特徴とする
請求項１８に記載の端末。
【請求項２１】
前記第１決定ユニットは、前記ＤＲＢの識別子と他のＤＲＢに対応する識別子をランク付けし、前記ＤＲＢの識別子のランキングの位置に応じて、前記ビットマップにおけるビットを決定するように設定され、ここで、前記ランキングは、昇順のランキング又は降順のランキングを含むことを特徴とする
請求項１６又は１９に記載の端末。
【請求項２２】
前記端末は、前記第１決定ユニットがＤＲＢに対応して設定された指示情報及び／又は所定のルールに応じて、受信したビットマップにおけるビットを決定する前に、ＭＣＧに対応する媒体アクセス制御（ＭＡＣ）エンティティ及びＳＣＧに対応するＭＡＣエンティティのビットマップをそれぞれ受信するように設定される受信ユニットを更に備えることを特徴とする
請求項１３に記載の端末。
【請求項２３】
前記受信ユニットは、第１受信サブユニットと第２受信サブユニットと、を備え、
前記第１受信サブユニットは、第１ＭＡＣエンティティによって、ＭＣＧに対応するＭＡＣエンティティの第１ＭＡＣ制御エレメント（ＭＡＣ  ＣＥ）を受信し、前記第１ＭＡＣ  ＣＥにおけるビットマップを取得するように設定され、
前記第２受信サブユニットは、第２ＭＡＣエンティティによって、ＳＣＧに対応するＭＡＣエンティティの第２ＭＡＣ  ＣＥを受信し、前記第２ＭＡＣ  ＣＥにおけるビットマップを取得するように設定されることを特徴とする
請求項２２に記載の端末。
【請求項２４】
前記第２決定ユニットは、パケットデータ収束プロトコル（ＰＤＣＰ）エンティティによって、前記ビットの値に基づいて、前記ＤＲＢの重複データ伝送機能のアクティブ化／非アクティブ化を決定するように設定され、前記ＰＤＣＰエンティティが前記ＤＲＢに対応することを特徴とする
請求項２３に記載の端末。
【請求項２５】
コンピュータ命令が記憶されているコンピュータ記憶媒体であって、
前記コンピュータ命令がプロセッサにより実行されるときに、請求項１〜１２のうちいずれか一項に記載の重複データ伝送機能を制御する方法の工程が実行される、前記コンピュータ記憶媒体。
【請求項２６】
データ伝送のための通信コンポーネントと、メモリと、プロセッサと、メモリに記憶され、プロセッサで実行可能なコンピュータプログラムとを備える端末であって、
前記プロセッサが、前記プログラムを実行するときに、請求項１〜１２のうちいずれか一項に記載の重複データ伝送機能を制御する方法の工程を実行する、前記端末。
【発明の詳細な説明】
【技術分野】
【０００１】
本発明は、無線通信技術に関し、具体的には、重複データ伝送機能を制御する方法、端末及びコンピュータ記憶媒体に関する。
【背景技術】
【０００２】
二重接続アーキテクチャにおいて、重複データ伝送のためには、スプリット（ｓｐｌｉｔ）データ無線ベアラ（ＤＲＢ：Ｄａｔａ  Ｒａｄｉｏ  Ｂｅａｒｅｒ）プロトコルアーキテクチャが用いられている。同様な両データは、それぞれマスターセルグループ（ＭＣＧ：Ｍａｓｔｅｒ  Ｃｅｌｌ  Ｇｒｏｕｐ）及びセカンダリセルグループ（ＳＣＧ：Ｓｅｃｏｎｄａｒｙ  Ｃｅｌｌ  Ｇｒｏｕｐ）により端末に送信され、端末は、同様な両データのうちの一つを廃棄し、もう一つを上位層に伝送する。
【０００３】
重複データ伝送機能は、ビットマップ（ｂｉｔｍａｐ）で示される方式でアクティブ化又は非アクティブ化される。５Ｇシステムにおいて、二重接続アーキテクチャでは、ＭＣＧ及びＳＣＧが、それぞれ、ｂｉｔｍａｐを含むＭＡＣ  ＣＥを端末に送信できるため、端末が、ＭＣＧ又はＳＣＧに対応するｂｉｔｍａｐを如何に選択するか、ｂｉｔｍａｐにおけるビットと重複データ伝送機能を有するｓｐｌｉｔ  ＤＲＢとの対応関係を如何に決定して該ｓｐｌｉｔ  ＤＲＢの重複データ伝送機能のアクティブ化／非アクティブ化を制御するかは、従来技術において、現在、有効な解決策はない。
【発明の概要】
【発明が解決しようとする課題】
【０００４】
従来から存在していた技術的課題を解決するために、本発明の実施例は、重複データ伝送機能を制御する方法、端末及びコンピュータ記憶媒体を提供する。
【課題を解決するための手段】
【０００５】
本発明の実施例は、重複データ伝送機能を制御する方法を提供し、前記方法は、
端末が、ＤＲＢに対応して設定された指示情報及び／又は所定のルールに応じて、受信したビットマップにおけるビットを決定することであって、前記ビットマップは、受信した２つのビットマップのうちの１つであることと、
前記端末が、前記ビットの指示に基づいて前記ＤＲＢの重複データ伝送機能のアクティブ化／非アクティブ化を決定することと、を含む。
【０００６】
一実施例において、前記ＤＲＢはスプリットＤＲＢ（ｓｐｌｉｔ  ＤＲＢ）であり、前記スプリットＤＲＢは、重複データ伝送機能が設定されたスプリットＤＲＢである。
【０００７】
一実施例において、前記指示情報は、指示識別子と指示ビットとを含み、
前記端末が、ＤＲＢに対応して設定された指示情報に応じて、受信したビットマップにおけるビットを決定することは、
前記端末が、前記指示識別子に基づいて、ＭＣＧ又はＳＣＧに対応して受信したビットマップを前記ＤＲＢのために選択することと、
前記端末が、前記指示ビットに基づいて、前記ビットマップにおけるビットを決定することと、を含む。
【０００８】
一実施例において、前記指示情報は、指示識別子を含み、
前記端末が、ＤＲＢに対応して設定された指示情報及び所定のルールに応じて、受信したビットマップにおけるビットを決定することは、
前記端末が、前記指示識別子に基づいて、ＭＣＧ又はＳＣＧに対応して受信したビットマップを前記ＤＲＢのために選択することと、
前記端末が、前記ＤＲＢの識別子に基づいて前記ビットマップにおけるビットを決定することと、を含む。
【０００９】
一実施例において、前記ＤＲＢは非スプリットＤＲＢ（ｎｏｎ−ｓｐｌｉｔ  ＤＲＢ）であり、前記非スプリットＤＲＢは、重複データ伝送機能が設定された非スプリットＤＲＢである。
【００１０】
一実施例において、前記指示情報は、指示ビットを含み、
前記端末が、ＤＲＢに対応して設定された指示情報に基づいて、受信したビットマップにおけるビットを決定することは、
前記端末が、ＭＣＧ又はＳＣＧに対応して受信したビットマップを前記ＤＲＢのために選択することと、
前記端末が、前記指示ビットに基づいて、前記ビットマップにおけるビットを決定することと、を含む。
【００１１】
一実施例において、前記端末が、所定のルールに応じて、受信したビットマップにおけるビットを決定することは、
前記端末が、ＭＣＧ又はＳＣＧに対応して受信したビットマップを前記ＤＲＢのために選択することと、
前記端末が、前記ＤＲＢの識別子に基づいて、前記ビットマップにおけるビットを決定することと、を含む。
【００１２】
一実施例において、異なるセルグループの非スプリットＤＲＢに対応して設定された指示情報における指示ビットは同一であるか、又は異なる。
【００１３】
一実施例において、前記端末が、前記ＤＲＢの識別子に基づいて、前記ビットマップにおけるビットを決定することは、
前記端末が前記ＤＲＢの識別子と他のＤＲＢに対応する識別子をランク付けし、前記ＤＲＢの識別子のランキングの位置に応じて、前記ビットマップにおけるビットを決定することを含み、
ここで、前記ランキングは、昇順のランキング又は降順のランキングを含む。
【００１４】
一実施例において、前記端末が、ＤＲＢに対応して設定された指示情報及び／又は所定のルールに応じて、受信したビットマップにおけるビットを決定する前に、前記方法は、
前記端末が、ＭＣＧに対応する媒体アクセス制御（ＭＡＣ）エンティティ及びＳＣＧに対応するＭＡＣエンティティのビットマップをそれぞれ受信することを更に含む。
【００１５】
一実施例において、前記端末が、ＭＣＧに対応するＭＡＣエンティティ及びＳＣＧに対応するＭＡＣエンティティのビットマップをそれぞれ受信することは、
前記端末の第１ＭＡＣエンティティが、ＭＣＧに対応するＭＡＣエンティティの第１媒体アクセス制御（ＭＡＣ：Ｍｅｄｉａ  Ａｃｃｅｓｓ  Ｃｏｎｔｒｏｌ）制御エレメント（ＣＥ：Ｃｏｎｔｒｏｌ  Ｅｌｅｍｅｎｔ）を受信し、前記第１ＭＡＣ  ＣＥにおけるビットマップを取得することと、
前記端末の第２ＭＡＣエンティティが、ＳＣＧに対応するＭＡＣエンティティの第２ＭＡＣ  ＣＥを受信し、前記第２ＭＡＣ  ＣＥにおけるビットマップを取得することと、を含む。
【００１６】
一実施例において、前記端末が前記ビットの指示に基づいて、前記ＤＲＢの重複データ伝送機能のアクティブ化／非アクティブ化を決定することは、
前記端末のＰＤＣＰエンティティが、前記ビットの値に基づいて、前記ＤＲＢの重複データ伝送機能のアクティブ化／非アクティブ化を決定し、前記ＰＤＣＰエンティティが前記ＤＲＢに対応することを含む。
【００１７】
本発明は、端末を更に提供し、前記端末は、第１決定ユニットと、第２決定ユニットと、を備え、
前記第１決定ユニットは、ＤＲＢに対応して設定された指示情報及び／又は所定のルールに応じて、受信したビットマップにおけるビットを決定するように設定され、前記ビットマップは、受信した２つのビットマップのうちの１つであり、
前記第２決定ユニットは、前記第１決定ユニットにより決定された前記ビットの指示に基づいて前記ＤＲＢの重複データ伝送機能のアクティブ化／非アクティブ化を決定するように設定される。
【００１８】
一実施例において、前記ＤＲＢはスプリットＤＲＢであり、前記スプリットＤＲＢは、重複データ伝送機能が設定されたスプリットＤＲＢである。
【００１９】
一実施例において、前記指示情報は、指示識別子と指示ビットとを含み、
前記第１決定ユニットは、前記指示識別子に基づいて、ＭＣＧ又はＳＣＧに対応して受信したビットマップを前記ＤＲＢのために選択し、前記指示ビットに基づいて、前記ビットマップにおけるビットを決定するように設定される。
【００２０】
一実施例において、前記指示情報は、指示識別子を含み、
前記第１決定ユニットは、前記指示識別子に基づいて、ＭＣＧ又はＳＣＧに対応して受信したビットマップを前記ＤＲＢのために選択し、前記ＤＲＢの識別子に基づいて前記ビットマップにおけるビットを決定するように設定される。
【００２１】
一実施例において、前記ＤＲＢは非スプリットＤＲＢであり、前記非スプリットＤＲＢは、重複データ伝送機能が設定された非スプリットＤＲＢである。
【００２２】
一実施例において、前記指示情報は、指示ビットを含み、
前記第１決定ユニットは、ＭＣＧ又はＳＣＧに対応して受信したビットマップを前記ＤＲＢのために選択し、前記指示ビットに基づいて、前記ビットマップにおけるビットを決定するように設定される。
【００２３】
一実施例において、前記第１決定ユニットは、ＭＣＧ又はＳＣＧに対応して受信したビットマップを前記ＤＲＢのために選択し、前記ＤＲＢの識別子に基づいて、前記ビットマップにおけるビットを決定するように設定される。
【００２４】
一実施例において、異なるセルグループの非スプリットＤＲＢに対応して設定された指示情報における指示ビットは同一であるか、又は異なる。
【００２５】
一実施例において、前記第１決定ユニットは、前記ＤＲＢの識別子と他のＤＲＢに対応する識別子をランク付けし、前記ＤＲＢの識別子のランキングの位置に応じて、前記ビットマップにおけるビットを決定するように設定され、ここで、前記ランキングは、昇順のランキング又は降順のランキングを含む。
【００２６】
一実施例において、前記端末は、前記第１決定ユニットがＤＲＢに対応して設定された指示情報及び／又は所定のルールに応じて、受信したビットマップにおけるビットを決定する前に、ＭＣＧに対応するＭＡＣエンティティ及びＳＣＧに対応するＭＡＣエンティティのビットマップをそれぞれ受信するように設定される受信ユニットを更に備える。
【００２７】
一実施例において、前記受信ユニットは、第１受信サブユニットと第２受信サブユニットと、を備え、
前記第１受信サブユニットは、第１ＭＡＣエンティティによって、ＭＣＧに対応するＭＡＣエンティティの第１ＭＡＣ  ＣＥを受信し、前記第１ＭＡＣ  ＣＥにおけるビットマップを取得するように設定され、
前記第２受信サブユニットは、第２ＭＡＣエンティティによって、ＳＣＧに対応するＭＡＣエンティティの第２ＭＡＣ  ＣＥを受信し、前記第２ＭＡＣ  ＣＥにおけるビットマップを取得するように設定される。
【００２８】
一実施例において、前記第２決定ユニットは、ＰＤＣＰエンティティによって、前記ビットの値に基づいて、前記ＤＲＢの重複データ伝送機能のアクティブ化／非アクティブ化を決定するように設定され、前記ＰＤＣＰエンティティが前記ＤＲＢに対応する。
【００２９】
本発明の実施例は、コンピュータ命令が記憶されているコンピュータ記憶媒体を更に提供し、該命令がプロセッサにより実行されるときに、本発明の実施例に記載の重複データ伝送機能を制御する方法の工程が実行される。
【００３０】
本発明の実施例は、端末を更に提供し、該端末は、データ伝送のための通信コンポーネントと、メモリと、プロセッサと、メモリに記憶され、プロセッサで実行されるコンピュータプログラムとを備え、前記プロセッサが前記プログラムを実行するときに、本発明の実施例に記載の重複データ伝送機能を制御する方法の工程を実行する。
【発明の効果】
【００３１】
本発明の実施例が提供する重複データ伝送機能を制御する方法、端末及びコンピュータ記憶媒体において、端末が、ＤＲＢに対応して設定された指示情報及び／又は所定のルールに応じて、受信したビットマップにおけるビットを決定し、前記ビットマップは、受信した２つのビットマップのうちの１つであり、前記端末が、前記ビットの指示に基づいて前記ＤＲＢの重複データ伝送機能のアクティブ化／非アクティブ化を決定する。本発明の実施例における技術的解決手段を用いると、ＤＲＢに対応して設定された指示情報及び／又は所定のルールに応じて、ビットマップにおけるビットを決定することで、二重接続シナリオにおいて、指示情報に応じて、ＭＣＧ又はＳＣＧに対応するビットマップを決定することができる。従って、ビットマップにおけるビットの指示によりＤＲＢの重複データ伝送機能のアクティブ化／非アクティブ化を実現させることができる。
【図面の簡単な説明】
【００３２】
【図１ａ】二重接続システムにおける下りプロトコルスタックのアーキテクチャを示す概略図である。
【図１ｂ】二重接続システムにおける上りプロトコルスタックのアーキテクチャを示す概略図である。
【図２】本発明の実施例による重複データ伝送機能を制御する方法を示すフローチャートである。
【図３】本発明の実施例による重複データ伝送機能を制御する方法の適用を示す概略図である。
【図４】本発明の実施例による端末の構成を示す概略図である。
【図５】本発明の実施例による端末の別の構成を示す概略図である。
【図６】本発明の実施例による端末のハードウェア構成を示す概略図である。
【発明を実施するための形態】
【００３３】
本発明の実施例の重複データ伝送機能を制御する方法を詳細に説明する前に、まず、二重接続アーキテクチャのプロトコルスタックアーキテクチャを説明する。図１ａは、二重接続システムにおける下りプロトコルスタックのアーキテクチャを示す概略図である。図１ｂは、二重接続システムにおける上りプロトコルスタックのアーキテクチャを示す概略図である。下りについて、図１ａに示すように、パケットデータ収束プロトコル（ＰＤＣＰ：Ｐａｃｋｅｔ  Ｄａｔａ  Ｃｏｎｖｅｒｇｅｎｃｅ  Ｐｒｏｔｏｃｏｌ）エンティティは、あるセルグループ（ＣＧ）内に位置し、該ＣＧは、アンカーＣＧ（ａｎｃｈｏｒ  ＣＧ）と呼ばれる。ＰＤＣＰエンティティは、ＰＤＣＰプロトコルデータユニット（ＰＤＵ：Ｐｒｏｔｏｃｏｌ  Ｄａｔａ  Ｕｎｉｔ）を同様の２つに複製する。例えば、１つはＰＤＣＰ  ＰＤＵであり、もう１つは、重複（Ｄｕｐｌｉｃａｔｅｄ）ＰＤＣＰ  ＰＤＵである。ＰＤＣＰ  ＰＤＵとＤｕｐｌｉｃａｔｅｄ  ＰＤＣＰ  ＰＤＵは、異なるＣＧ（例えば、ＭＣＧとＳＣＧ）のＲＬＣ及びＭＡＣを経過してから、エアインタフェースを経過して端末に対応するＭＡＣエンティティ、ＲＬＣエンティティに到着し、最後に端末のＰＤＣＰエンティティに収束される。ＰＤＣＰエンティティは、２つのＰＤＣＰ  ＰＤＵが同様な複製されたものであることを検出し、そのうちの１つを廃棄し、もう１つを上位層エンティティに伝送する。逆に、図１ｂに示すように、端末のＰＤＣＰエンティティはＰＤＣＰ  ＰＤＵを同様の２つに複製する。例えば、１つはＰＤＣＰ  ＰＤＵであり、もう１つは、Ｄｕｐｌｉｃａｔｅｄ  ＰＤＣＰ  ＰＤＵである。ＰＤＣＰ  ＰＤＵとＤｕｐｌｉｃａｔｅｄ  ＰＤＣＰ  ＰＤＵは、異なるＣＧ（例えば、ＭＣＧとＳＣＧ）に対応するＲＬＣ及びＭＡＣを経過してから、それぞれエアインタフェースを経過してＭＣＧとＳＣＧのＭＡＣエンティティ、ＲＬＣエンティティに到着し、最後にアンカーＣＧのＰＤＣＰエンティティとして収束される。
【００３４】
図１ａ及び図１ｂに示すように、ＰＤＣＰエンティティをそれぞれＲＬＣとＭＡＣに接続するというベアラをｓｐｌｉｔ  ｂｅａｒｅｒと呼ぶ。ＰＤＣＰエンティティがＭＣＧに位置すれば、該ベアラは、ＭＣＧ  Ｓｐｌｉｔ  ｂｅａｒｅｒと呼ばれ、ＰＤＣＰエンティティがＳＣＧに位置すれば、該ベアラは、ＳＣＧ  Ｓｐｌｉｔ  ｂｅａｒｅｒと呼ばれる。
【００３５】
５Ｇシステムにおいて、重複データ伝送機能が設定されたベアラについて、ＭＡＣ  ＣＥによって、あるベアラの重複データ伝送機能を動的にアクティブ化（ａｃｔｉｖａｔｅ）又は非アクティブ化（ｄｅ−ａｃｔｉｖａｔｅ）することができる。二重接続シナリオについて、ＭＣＧとＳＣＧはそれぞれＭＡＣ  ＣＥを送信することで、端末におけるｓｐｌｉｔ  ｂｅａｒｅｒの重複データ伝送機能をアクティブ化又は非アクティブ化することができる。ここで、ＭＡＣ  ＣＥは１つのビットマップを含んでもよく、即ち、異なるビットは、異なるベアラに対応する。ビットの値は、対応するベアラの重複データ伝送機能のアクティブ化又は非アクティブ化を示す。しかしながら、二重接続シナリオにおいて、端末は、ＭＣＧ又はＳＣＧのビットマップとベアラとの対応関係を決定することができない。これに鑑みて、本発明の下記各実施例を提供する。
【００３６】
以下、図面及び具体的な実施例を参照しながら、本発明をより詳しく説明する。
【００３７】
実施例１
本発明の実施例は、重複データ伝送機能を制御する方法を提供する。図２は、本発明の実施例による重複データ伝送機能を制御する方法を示すフローチャートである。図２に示すように、前記方法は、以下を含む。
【００３８】
ステップ１０１：端末がＤＲＢに対応して設定された指示情報及び／又は所定のルールに応じて、受信したビットマップにおけるビットを決定し、前記ビットマップは、受信した２つのビットマップのうちの１つである。
【００３９】
ステップ１０２：前記端末が、前記ビットの指示に基づいて前記ＤＲＢの重複データ伝送機能のアクティブ化／非アクティブ化を決定する。
【００４０】
本発明の実施例において、前記端末が、ＤＲＢに対応して設定された指示情報及び／又は所定のルールに応じて、受信したビットマップにおけるビットを決定する前に、前記方法は、前記端末が、ＭＣＧに対応するＭＡＣエンティティ及びＳＣＧに対応するＭＡＣエンティティのビットマップをそれぞれ受信することを更に含む。
【００４１】
ここで、前記端末が、ＭＣＧに対応するＭＡＣエンティティ及びＳＣＧに対応するＭＡＣエンティティのビットマップをそれぞれ受信することは、前記端末の第１ＭＡＣエンティティが、ＭＣＧに対応するＭＡＣエンティティの第１ＭＡＣ  ＣＥを受信し、前記第１ＭＡＣ  ＣＥにおけるビットマップを取得することと、前記端末の第２ＭＡＣエンティティが、ＳＣＧに対応するＭＡＣエンティティの第２ＭＡＣ  ＣＥを受信し、前記第２ＭＡＣ  ＣＥにおけるビットマップを取得することと、を含む。
【００４２】
従って、前記端末が前記ビットの指示に基づいて、前記ＤＲＢの重複データ伝送機能のアクティブ化／非アクティブ化を決定することは、前記端末のＰＤＣＰエンティティが、前記ビットの値に基づいて、前記ＤＲＢの重複データ伝送機能のアクティブ化／非アクティブ化を決定し、前記ＰＤＣＰエンティティが前記ＤＲＢに対応することを含む。重複データ伝送機能が設定されたＤＲＢについて、ＭＡＣエンティティのｊｙシンしたＭＡＣ  ＣＥにおけるビットマップにおけるビットを決定し、該ビットの値を該ＤＲＢに対応するＰＤＣＰエンティティに指示し、ＰＤＣＰエンティティは、ビットの値に基づいて重複データ伝送機能のアクティブ化／非アクティブ化を決定すると理解される。
【００４３】
本実施例において、前記端末が、ＤＲＢに対応して設定された指示情報及び／又は所定のルールに応じて、受信したビットマップにおけるビットを決定する前に、前記方法は、前記端末がネットワーク装置からのシグナリングを取得し、前記シグナリングに基づいて、ＤＲＢに対応する指示情報及び／又は所定のルールを決定する。ここで、前記シグナリングは具体的には、無線リソース制御（ＲＲＣ：Ｒａｄｉｏ  Ｒｅｓｏｕｒｃｅ  Ｃｏｎｔｒｏｌ）シグナリングであってもよく、即ち、端末は、ネットワーク装置の半静的な設定に基づいて指示情報及び／又は所定のルールを取得することができる。
【００４４】
本発明の実施例は、２つのシナリオに適用される。第１適用シナリオにおいて、前記ＤＲＢはスプリットＤＲＢであり、前記スプリットＤＲＢは重複データ伝送機能が設定されたスプリットＤＲＢである。第２適用シナリオにおいて、前記ＤＲＢは非スプリットＤＲＢであり、前記非スプリットＤＲＢは、重複データ伝送機能が設定された非スプリットＤＲＢである。
【００４５】
第１適用シナリオにおいて、第１実施形態として、前記指示情報は、指示識別子と指示ビットとを含み、前記端末が、ＤＲＢに対応して設定された指示情報に応じて、受信したビットマップにおけるビットを決定することは、前記端末が、前記指示識別子に基づいて、ＭＣＧ又はＳＣＧに対応して受信したビットマップを前記ＤＲＢのために選択することと、前記端末が、前記指示ビットに基づいて、前記ビットマップにおけるビットを決定することと、を含む。
【００４６】
ここで、前記指示識別子は、２つのビットマップのうちの１つを選択するためのルールを決定することを示し、即ち、前記識別子は、ＭＣＧに対応するビットマップ又はＳＣＧに対応するビットマップを選択するように端末に指示するために用いられる。実際の適用において、前記指示識別子は、識別子０／１であってもよい。０と１はそれぞれＭＣＧとＳＣＧに対応する。例えば、前記指示識別子が識別子０として設定される場合、ＭＣＧに対応するビットマップを選択し、前記指示識別子が識別子１として設定される場合、ＳＣＧに対応するビットマップを選択する。無論、逆であってもよい。識別子０はＭＣＧに対応し、識別子１はＳＣＧに対応する。本実施例はこれを限定しない。
【００４７】
前記指示ビットは、ビットマップにおけるいずれかのビットを指示することができる。ビットマップが８ビットを含む場合、前記指示ビットは３ビットを含むことができる。例えば、０００はビットマップにおける１ビット目に対応し、００１はビットマップにおける２ビット目に対応し、これをもとにして類推できる。端末は、前記指示ビットに基づいて、前記ビットマップにおけるビットを決定し、前記ビットの値に基づいて、ＤＲＢの重複データ伝送機能のアクティブ化／非アクティブ化を決定する。
【００４８】
第２実施形態として、前記指示情報は、指示識別子を含み、前記端末が、ＤＲＢに対応して設定された指示情報及び所定のルールに応じて、受信したビットマップにおけるビットを決定することは、前記端末が、前記指示識別子に基づいて、ＭＣＧ又はＳＣＧに対応して受信したビットマップを前記ＤＲＢのために選択することと、前記端末が、前記ＤＲＢの識別子に基づいて前記ビットマップにおけるビットを決定することと、を含む。
【００４９】
第１実施形態における指示識別子に関する説明を参照すれば、前記識別子は、２つのビットマップのうちの１つを選択するためのルールを決定することを示し、即ち、前記指示識別子は、ＭＣＧに対応するビットマップ又はＳＣＧに対応するビットマップを選択するように端末に指示するために用いられる。
【００５０】
一実施形態として、前記端末が、前記ＤＲＢの識別子に基づいて、前記ビットマップにおけるビットを決定することは、前記端末が前記ＤＲＢの識別子と他のＤＲＢに対応する識別子をランク付けし、前記ＤＲＢの識別子のランキングの位置に応じて、前記ビットマップにおけるビットを決定することを含み、ここで、前記ランキングは、昇順のランキング又は降順のランキングを含む。
【００５１】
ここで、前記ＤＲＢの識別子は具体的にはＤＲＢ  ＩＤであり、各ＤＲＢのＤＲＢ  ＩＤはいずれも決まっており、且つ互いに重複しない。端末は、全てのＤＲＢ  ＩＤをランク付けし、ランキングルールは、昇順のランキング又は降順のランキングであってもよい。例えば、ＤＲＢ  ＩＤが３であって、他のＤＲＢのＩＤが１、５、７、９を含む場合、該ＤＲＢ  ＩＤは、全てのＤＲＢ  ＩＤの昇順のランキングで２番目にランク付けされ、従って、ビットマップにおける２ビット目を決定する。該ＤＲＢ  ＩＤは、全てのＤＲＢ  ＩＤの降順のランキングで３番目にランク付けされ、従って、ビットマップにおける３ビット目を決定する。
【００５２】
別の実施形態として、端末は、ＤＲＢの識別子に基づいてビットマップにおけるビットを決定することもできる。本実施形態は、ビットマップにおけるビットの数が端末のＤＲＢ数以上であって、且つＤＲＢ  ＩＤが８以下であるというシナリオに適用される。例えば、ＤＲＢ  ＩＤが３であると、ビットマップにおける３ビット目を決定することができる。
【００５３】
第２適用シナリオにおいて、第１実施形態として、前記指示情報は、指示ビットを含み、前記端末が、ＤＲＢに対応して設定された指示情報に基づいて、受信したビットマップにおけるビットを決定することは、前記端末が、ＭＣＧ又はＳＣＧに対応して受信したビットマップを前記ＤＲＢのために選択することと、前記端末が、前記指示ビットに基づいて、前記ビットマップにおけるビットを決定することと、を含む。
【００５４】
本適用シナリオにおいて、端末は、指示識別子によって、ＭＣＧ又はＳＣＧに対応して受信したビットマップを選択する必要がなく、前記ＤＲＢのために、ＭＣＧ又はＳＣＧに対応して受信したビットマップを直接的に選択することができる。更に、前記指示ビットは、ビットマップにおけるいずれかのビットを指示することができる。ビットマップが８ビットを含む場合、前記指示ビットは３ビットを含むことができる。例えば、０００はビットマップにおける１ビット目に対応し、００１はビットマップにおける２ビット目に対応し、これをもとにして類推できる。端末は、前記指示ビットに基づいて、前記ビットマップにおけるビットを決定し、前記ビットの値に基づいて、ＤＲＢの重複データ伝送機能のアクティブ化／非アクティブ化を決定する。
【００５５】
第２実施形態として、前記端末が、所定のルールに応じて、受信したビットマップにおけるビットを決定することは、前記端末が、ＭＣＧ又はＳＣＧに対応して受信したビットマップを前記ＤＲＢのために選択することと、前記端末が、前記ＤＲＢの識別子に基づいて、前記ビットマップにおけるビットを決定することと、を含む。
【００５６】
本適用シナリオにおいて、端末は、指示識別子によって、ＭＣＧ又はＳＣＧに対応して受信したビットマップを選択する必要がなく、前記ＤＲＢのために、ＭＣＧ又はＳＣＧに対応して受信したビットマップを直接的に選択することができる。
【００５７】
本実施例において、前記端末が、前記ＤＲＢの識別子に基づいて、前記ビットマップにおけるビットを決定することは、前記端末が前記ＤＲＢの識別子と他のＤＲＢに対応する識別子をランク付けし、前記ＤＲＢの識別子のランキングの位置に応じて、前記ビットマップにおけるビットを決定することを含み、ここで、前記ランキングは、昇順のランキング又は降順のランキングを含む。
【００５８】
ここで、前記ＤＲＢの識別子は具体的にはＤＲＢ  ＩＤであり、各ＤＲＢのＤＲＢ  ＩＤはいずれも決まっており、且つ互いに重複しない。端末は、全てのＤＲＢ  ＩＤをランク付けし、ランキングルールは、昇順のランキング又は降順のランキングであってもよい。例えば、ＤＲＢ  ＩＤが３であって、他のＤＲＢのＩＤが１、５、７、９を含む場合、該ＤＲＢ  ＩＤは、全てのＤＲＢ  ＩＤの昇順のランキングで２番目にランク付けされ、従って、ビットマップにおける２ビット目を決定する。該ＤＲＢ  ＩＤは、全てのＤＲＢ  ＩＤの降順のランキングで３番目にランク付けされ、従って、ビットマップにおける３ビット目を決定する。
【００５９】
別の実施形態として、端末は、ＤＲＢの識別子に基づいてビットマップにおけるビットを決定することもできる。本実施形態は、ビットマップにおけるビットの数が端末のＤＲＢ数以上であって、且つＤＲＢ  ＩＤが８以下であるというシナリオに適用される。例えば、ＤＲＢ  ＩＤが３であると、ビットマップにおける３ビット目を決定することができる。
【００６０】
本適用シナリオにおいて、異なるセルグループの非スプリットＤＲＢに対応して設定された指示情報における指示ビットは同一であるか、又は異なる。例えば、異なるＣＧに属するｎｏｎ−ｓｐｌｉｔ  ｂｅａｒｅｒについて、対応する指示情報における指示ビットはいずれも０００に設定されてもよい。
【００６１】
本実施例において、前記指示識別子は、重複データ伝送機能を有するスプリットＤＲＢに対応する指示情報中に設定されており、スプリットＤＲＢがＭＣＧ  ＭＡＣ  ＣＥによって制御されるかＳＣＧ ＭＡＣ  ＣＥによって制御されることを示す。非スプリットＤＲＢについて、対応する指示情報中には、指示識別子が設定されていない。
【００６２】
本実施例において、ｎｏｎ−ｓｐｌｉｔ  ｂｅａｒｅｒについて、ＭＣＧやＳＣＧのｎｏｎ−ｓｐｌｉｔ  ｂｅａｒｅｒに関わらず、その重複データ伝送機能は、ＭＣＧに対応するＭＡＣエンティティにより受信されたＭＡＣ  ＣＥ又はＳＣＧに対応するＭＡＣエンティティにより受されたＭＡＣ  ＣＥのみに基づいて制御される。
【００６３】
本発明の実施例における技術的解決手段を用いると、ＤＲＢに対応して設定された指示情報及び／又は所定のルールに応じて、ビットマップにおけるビットを決定することで、二重接続シナリオにおいて、指示情報に応じて、ＭＣＧ又はＳＣＧに対応するビットマップを決定することができる。従って、ビットマップにおけるビットの指示によりＤＲＢの重複データ伝送機能のアクティブ化／非アクティブ化を実現させることができる。
【００６４】
以下、具体的な適用シナリオを参照しながら、本発明の実施例の重複データ伝送機能を制御する方法を詳細に説明する。
【００６５】
シナリオ１
本シナリオにおいて、端末は、ネットワーク装置からのシグナリングに基づいて、ＤＲＢの指示識別子及び指示ビットを決定し、該指示識別子に基づいて、ＭＣＧに対応して受信したＭＣＧ  ＭＡＣ  ＣＥをＤＲＢのために選択することを決定する。
【００６６】
端末は、ＭＣＧ  ＭＡＣエンティティから、重複データ伝送機能のアクティブ化／非アクティブ化を制御するためのＭＡＣ  ＣＥを受信する。
【００６７】
端末は、まず、どのＤＲＢがＭＣＧ  ＭＡＣエンティティにより制御されるかを決定する。例えば、図３に示すように、まず、ＤＲＢ  ＩＤ＝１のｎｏｎ−ｓｐｌｉｔ  ＤＲＢがＭＣＧ  ＭＡＣ  ＣＥにより制御されることを決定しながら、ｓｐｌｉｔ  ＤＲＢに設定された指示識別子０／１を確認することで、ＤＲＢ  ＩＤ＝３のｓｐｌｉｔ  ＤＲＢがＭＣＧ  ＭＡＣ  ＣＥにより制御されることを決定することができる。
【００６８】
端末は、更に、該２つのＤＲＢにおける指示ビットを確認し、ＤＲＢ  ＩＤ＝１のｎｏｎ−ｓｐｌｉｔ  ＤＲＢがビットマップにおける１ビット目により制御され、ＤＲＢ  ＩＤ＝３がビットマップにおける２ビット目により制御され、ビットマップにおける他のビットがいずれも無効であることを決定する。
【００６９】
端末のＭＡＣエンティティは、ビットマップにおける１ビット目のｂｉｔ値をＤＲＢ  ＩＤ＝１のｎｏｎ−ｓｐｌｉｔ  ＤＲＢのＰＤＣＰエンティティに指示し、端末のＭＡＣエンティティは、ビットマップにおける２ビット目のｂｉｔ値をＤＲＢ  ＩＤ＝３のｓｐｌｉｔ  ＤＲＢのＰＤＣＰエンティティに指示する。対応するＰＤＣＰエンティティは、指示されたｂｉｔ値に基づいて対応するＤＲＢの重複データ伝送機能のアクティブ化／非アクティブ化を決定する。
【００７０】
シナリオ２
本シナリオにおいて、本シナリオにおいて、端末は、ネットワーク装置からのシグナリングに基づいて、ＤＲＢの指示識別子を決定し、該指示識別子に基づいて、ＭＣＧに対応して受信したＭＣＧ  ＭＡＣ  ＣＥをｓｐｌｉｔ  ＤＲＢのために選択することを決定する。
【００７１】
端末は、ＭＣＧ  ＭＡＣエンティティから、重複データ伝送機能のアクティブ化／非アクティブ化を制御するためのＭＡＣ  ＣＥを受信する。
【００７２】
端末は、まず、どのＤＲＢがＭＣＧ  ＭＡＣエンティティにより制御されるかを決定する。例えば、図３に示すように、まず、ＤＲＢ  ＩＤ＝１のｎｏｎ−ｓｐｌｉｔ  ＤＲＢがＭＣＧ  ＭＡＣ  ＣＥにより制御されることを決定しながら、ｓｐｌｉｔ  ＤＲＢに設定された指示識別子０／１を確認することで、ＤＲＢ  ＩＤ＝３のｓｐｌｉｔ  ＤＲＢがＭＣＧ  ＭＡＣ  ＣＥにより制御されることを決定することができる。
【００７３】
端末はこれらのＤＲＢのＩＤに応じて対応関係を決定する。例えば、ＤＲＢ  ＩＤの昇順（又は降順）によって対応関係を決定することができる。例えば、端末におけるＤＲＢ  ＩＤが１、３、５、６を含み、ＤＲＢ  ＩＤ＝１が昇順のランキングにおいて一番目であるため、ＤＲＢ  ＩＤ＝１のｎｏｎ−ｓｐｌｉｔ  ＤＲＢは、ビットマップにおける１ビット目に対応し、ＤＲＢ  ＩＤ＝３が昇順のランキングにおいて２番目であるため、ＤＲＢ  ＩＤ＝３のｓｐｌｉｔ  ＤＲＢは、ビットマップにおける２ビット目に対応し、ビットマップにおける他のビットはいずれも無効である。
【００７４】
端末のＭＡＣエンティティはビットマップにおける１ビット目のｂｉｔ値をＤＲＢ  ＩＤ＝１のｎｏｎ−ｓｐｌｉｔ  ＤＲＢのＰＤＣＰエンティティに指示し、端末のＭＡＣエンティティはビットマップにおける２ビット目のｂｉｔ値をＤＲＢ  ＩＤ＝３のｓｐｌｉｔ  ＤＲＢのＰＤＣＰエンティティに指示する。対応するＰＤＣＰエンティティは、指示したｂｉｔ値に応じて対応するＤＲＢの重複データ伝送機能のアクティブ化／非アクティブ化を決定する。
【００７５】
実施例２
本発明の実施例は端末を更に提供する。図４は本発明の実施例による端末の構成を示す概略図である。図４に示すように、前記端末は第１決定ユニット３１と、第２決定ユニット３２とを備え、
前記第１決定ユニット３１は、ＤＲＢに対応して設定された指示情報及び／又は所定のルールに応じて、受信したビットマップにおけるビットを決定するように設定され、前記ビットマップは、受信した２つのビットマップのうちの１つであり、
前記第２決定ユニット３２は、前記第１決定ユニット３１により決定された前記ビットの指示に基づいて前記ＤＲＢの重複データ伝送機能のアクティブ化／非アクティブ化を決定するように設定される。
【００７６】
第１適用シナリオにおいて、前記ＤＲＢはスプリットＤＲＢであり、前記スプリットＤＲＢは、重複データ伝送機能が設定されたスプリットＤＲＢである。
【００７７】
第１実施形態として、前記指示情報は、指示識別子と指示ビットとを含み、
前記第１決定ユニット３１は、前記指示識別子に基づいて、ＭＣＧ又はＳＣＧに対応して受信したビットマップを前記ＤＲＢのために選択し、前記指示ビットに基づいて、前記ビットマップにおけるビットを決定するように設定される。
【００７８】
第２実施形態として、前記指示情報は、指示識別子を含み、
前記第１決定ユニット３１は、前記指示識別子に基づいて、ＭＣＧ又はＳＣＧに対応して受信したビットマップを前記ＤＲＢのために選択し、前記ＤＲＢの識別子に基づいて前記ビットマップにおけるビットを決定するように設定される。
【００７９】
第２適用シナリオにおいて、前記ＤＲＢは非スプリットＤＲＢであり、前記非スプリットＤＲＢは、重複データ伝送機能が設定された非スプリットＤＲＢである。
【００８０】
第１実施形態として、前記指示情報は、指示ビットを含み、
前記第１決定ユニット３１は、ＭＣＧ又はＳＣＧに対応して受信したビットマップを前記ＤＲＢのために選択し、前記指示ビットに基づいて、前記ビットマップにおけるビットを決定するように設定される。
【００８１】
第２実施形態として、前記第１決定ユニット３１は、ＭＣＧ又はＳＣＧに対応して受信したビットマップを前記ＤＲＢのために選択し、前記ＤＲＢの識別子に基づいて、前記ビットマップにおけるビットを決定するように設定される。
【００８２】
ここで、異なるセルグループの非スプリットＤＲＢに対応して設定された指示情報における指示ビットは同一であるか、又は異なる。
【００８３】
本実施例において、前記第１決定ユニット３１は、前記ＤＲＢの識別子と他のＤＲＢに対応する識別子をランク付けし、前記ＤＲＢの識別子のランキングの位置に応じて、前記ビットマップにおけるビットを決定するように設定され、ここで、前記ランキングは、昇順のランキング又は降順のランキングを含む。
【００８４】
実施形態として、本発明の実施例による端末の別の構成を示す概略図である図５に示すように、前記端末は、前記第１決定ユニット３１がＤＲＢに対応して設定された指示情報及び／又は所定のルールに応じて、受信したビットマップにおけるビットを決定する前に、ＭＣＧに対応するＭＡＣエンティティ及びＳＣＧに対応するＭＡＣエンティティのビットマップをそれぞれ受信するように設定される受信ユニット３３を更に備える。
【００８５】
ここで、前記受信ユニット３３は、第１受信サブユニットと第２受信サブユニットと、を備え、
前記第１受信サブユニットは、第１ＭＡＣエンティティによって、ＭＣＧに対応するＭＡＣエンティティの第１ＭＡＣ  ＣＥを受信し、前記第１ＭＡＣ  ＣＥにおけるビットマップを取得するように設定され、
前記第２受信サブユニットは、第２ＭＡＣエンティティによって、ＳＣＧに対応するＭＡＣエンティティの第２ＭＡＣ  ＣＥを受信し、前記第２ＭＡＣ  ＣＥにおけるビットマップを取得するように設定される。
【００８６】
ここで、前記第２決定ユニット３２は、ＰＤＣＰエンティティによって、前記ビットの値に基づいて、前記ＤＲＢの重複データ伝送機能のアクティブ化／非アクティブ化を決定するように設定され、前記ＰＤＣＰエンティティが前記ＤＲＢに対応する。
【００８７】
本実施例において、前記端末における第１決定ユニット３１及び第２決定ユニット３２は、実際の適用においていずれも中央演算処理装置（ＣＰＵ：Ｃｅｎｔｒａｌ  Ｐｒｏｃｅｓｓｉｎｇ  Ｕｎｉｔ）、デジタル信号プロセッサ（ＤＳＰ：Ｄｉｇｉｔａｌ  Ｓｉｇｎａｌ  Ｐｒｏｃｅｓｓｏｒ）、マイクロ制御ユニット（ＭＣＵ：Ｍｉｃｒｏｃｏｎｔｒｏｌｌｅｒ  Ｕｎｉｔ）又は現場でプログラム可能なゲートアレイ（ＦＰＧＡ：Ｆｉｅｌｄ−Ｐｒｏｇｒａｍｍａｂｌｅ  Ｇａｔｅ  Ａｒｒａｙ）で実現されてもよい。前記端末における受信ユニット３３（第１受信サブユニットと第２受信サブユニットを含む）は、実際の適用において通信モジュール（インフラ通信コンポーネント、オペレーティングシステム、通信モジュール、標準化されたインタフェース及びプロトコル等を含む）及び送受信アンテナにより実現される。
【００８８】
上記実施例が提供する端末は重複データ伝送機能を制御する場合、上記分割された各プログラムモジュールを例として説明し、実際の適用において、必要に応じて異なるプログラムモジュールで上記処理を行うことができ、即ち端末の内部構成を異なるプログラムモジュールに分割することで、上記説明した全て又は一部の処理を完了することに留意されたい。なお、上記実施例が提供する端末と方法の実施例は同一の構想に属し、その具体的な実現過程について方法実施例を参照して、ここで一々述べないことにする。
【００８９】
実施例３
本発明の実施例は端末を更に提供する。本発明の実施例による端末のハードウェア構成を示す概略図である図６に示すように、端末は、データ伝送のための通信コンポーネント４３と、少なくとも１つのプロセッサと、プロセッサ４１上で実行されるコンピュータプログラムを記憶するためのメモリ４２とを備える。端末における各ユニットはバスシステム４４によって結合される。バスシステム４４は、これらの部材間の接続及び通信を実現するためのものであることが理解されるべきである。バスシステム４４はデータバスを含む以外、電源バス、制御バス及び状態信号バスを含む。しかしながら、明確に説明するために、図６において、全てのバスをバス４４とする。
【００９０】
理解すべき点として、本発明の実施例におけるメモリ４２は、揮発性メモリ又は不揮発性メモリであってもよく、揮発性メモリと不揮発性メモリの両方であってもよい。ここで、不揮発性メモリは、読み取り専用メモリ（ＲＯＭ：Ｒｅａｄ  Ｏｎｌｙ  Ｍｅｍｏｒｙ）、プログラマブル読み取り専用メモリ（ＰＲＯＭ：Ｐｒｏｇｒａｍｍａｂｌｅ  Ｒｅａｄ−Ｏｎｌｙ  Ｍｅｍｏｒｙ）、消去可能なプログラマブル読み取り専用メモリ（ＥＰＲＯＭ：Ｅｒａｓａｂｌｅ  Ｐｒｏｇｒａｍｍａｂｌｅ  Ｒｅａｄ−Ｏｎｌｙ  Ｍｅｍｏｒｙ）、電気的消去可能なプログラマブル読み取り専用メモリ（ＥＥＰＲＯＭ：Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、磁気ランダムアクセスメモリ（ＦＲＡＭ：ｆｅｒｒｏｍａｇｎｅｔｉｃ  ｒａｎｄｏｍ  ａｃｃｅｓｓ  ｍｅｍｏｒｙ）、フラッシュメモリ（Ｆｌａｓｈ  Ｍｅｍｏｒｙ）、磁気面メモリ、光ディスク、又は読み出し専用型光ディスク（ＣＤ−ＲＯＭ：Ｃｏｍｐａｃｔ  Ｄｉｓｃ  Ｒｅａｄ−Ｏｎｌｙ  Ｍｅｍｏｒｙ）であってもよい。磁気面メモリは、磁気ディスクメモリ又は磁気テープメモリであってもよい。揮発性メモリは、外部キャッシュとして用いられるランダムアクセスメモリ（ＲＡＭ：Ｒａｎｄｏｍ  Ａｃｃｅｓｓ  Ｍｅｍｏｒｙ）であってもよい。非限定的な例証として、ＲＡＭは、スタティックランダムアクセスメモリ（ＳＲＡＭ：Ｓｔａｔｉｃ  Ｒａｎｄｏｍ  Ａｃｃｅｓｓ  Ｍｅｍｏｒｙ）、同期スタティックランダムアクセスメモリ（ＳＳＲＡＭ：Ｓｙｎｃｈｒｏｎｏｕｓ  Ｓｔａｔｉｃ  Ｒａｎｄｏｍ  Ａｃｃｅｓｓ  Ｍｅｍｏｒｙ）、ダイナミックランダムアクセスメモリ（ＤＲＡＭ：Ｄｙｎａｍｉｃ  Ｒａｎｄｏｍ  Ａｃｃｅｓｓ  Ｍｅｍｏｒｙ）、同期ダイナミックランダムアクセスメモリ（ＳＤＲＡＭ：Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、ダブルデータレート同期ダイナミックランダムアクセスメモリ（ＤＤＲＳＤＲＡＭ：Ｄｏｕｂｌｅ  Ｄａｔａ  Ｒａｔｅ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、エンハンスト同期ダイナミックランダムアクセスメモリ（ＥＳＤＲＡＭ：Ｅｎｈａｎｃｅｄ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、同期リンクダイナミックランダムアクセスメモリ（ＳＬＤＲＡＭ：Ｓｙｎｃｈｌｉｎｋ  Ｄｙｎａｍｉｃ  Ｒａｎｄｏｍ  Ａｃｃｅｓｓ  Ｍｅｍｏｒｙ）及びダイレクトラムバスランダムアクセスメモリ（ＤＲＲＡＭ：Ｄｉｒｅｃｔ  Ｒａｍｂｕｓ  Ｒａｎｄｏｍ  Ａｃｃｅｓｓ  Ｍｅｍｏｒｙ）などの多数の形態で使用可能である。本発明の実施例に記載されているメモリ４２は、これら及び任意の他の適切な形態のメモリを含むが、これらに限定されないことに留意されたい。
【００９１】
上記本発明の実施例に開示された方法はプロセッサ４１に適用されるか、又はプロセッサ４１により実現される。プロセッサ４１は、信号を処理する能力を有する集積回路チップであり得る。上記方法の各ステップは、実現する過程において、プロセッサ４１におけるハードウェアの集積論理回路又はソフトウェアの形の指令により完成することができる。上記プロセッサ４１は、汎用プロセッサ、ＤＳＰ、又は他のプログラマブルロジックデバイス、ディスクリートゲート又はトランジスタロジックデバイス、ディスクリートハードウェアコンポーネント等であってもよい。プロセッサ４１は、本発明の実施例に開示されている各方法、ステップ及び論理的ブロック図を実現又は実行することができる。汎用プロセッサはマイクロプロセッサであってもよく、該プロセッサは如何なる従来のプロセッサ等であってもよい。本発明の実施例に開示されている方法のステップに合わせて、ハードウェア解読プロセッサによって完成し、又は解読プロセッサ内のハードウェアとソフトウェアモジュールとの組み合わせで実行して完成するように示す。ソフトウェアモジュールは、記憶媒体内に存在してもよい。該記憶媒体は、メモリ４２内に位置し、プロセッサ４１はメモリ４２中の情報を読み取り、そのハードウェアと共に上記方法のステップを完了する。
【００９２】
例示的な実施例において、端末は、１つ又は複数の特定用途向け集積回路（ＡＳＩＣ：Ａｐｐｌｉｃａｔｉｏｎ  Ｓｐｅｃｉｆｉｃ  Ｉｎｔｅｒｇｒａｔｅｄ  Ｃｉｒｃｕｉｔ）、ＤＳＰ、プログラマブルロジックデバイス（ＰＬＤ：Ｐｒｏｇｒａｍｍａｂｌｅ  Ｌｏｇｉｃ  Ｄｅｖｉｃｅ）、複合プログラマブルロジックデバイス（ＣＰＬＤ：Ｃｏｍｐｌｅｘ  Ｐｒｏｇｒａｍｍａｂｌｅ  Ｌｏｇｉｃ  Ｄｅｖｉｃｅ）、ＦＰＧＡ、汎用プロセッサ、コントローラ、ＭＣＵ、マイクロプロセッサ（Ｍｉｃｒｏｐｒｏｃｅｓｓｏｒ）、又は他の電子素子により実現され、前記方法を実行するために用いられる。
【００９３】
本実施例において、前記プロセッサ４１は前記プログラムを実行する時、ＤＲＢに対応して設定された指示情報及び／又は所定のルールに応じて、受信したビットマップにおけるビットを決定し、前記ビットマップは、受信した２つのビットマップのうちの１つであり、前記ビットの指示に基づいて前記ＤＲＢの重複データ伝送機能のアクティブ化／非アクティブ化を決定することを実現させる。
【００９４】
第１適用シナリオにおいて、前記ＤＲＢはスプリットＤＲＢであり、前記スプリットＤＲＢは、重複データ伝送機能が設定されたスプリットＤＲＢである。
【００９５】
一実施形態として、前記指示情報は、指示識別子と指示ビットとを含み、前記プロセッサ４１は前記プログラムを実行する時、前記指示識別子に基づいて、マスターセルグループ（ＭＣＧ）又はセカンダリセルグループ（ＳＣＧ）に対応して受信したビットマップを前記ＤＲＢのために選択し、前記指示ビットに基づいて、前記ビットマップにおけるビットを決定することを実現させる。
【００９６】
別の実施形態として、、前記指示情報は、指示識別子を含み、前記プロセッサ４１は前記プログラムを実行する時、前記指示識別子に基づいて、ＭＣＧ又はＳＣＧに対応して受信したビットマップを前記ＤＲＢのために選択し、前記ＤＲＢの識別子に基づいて前記ビットマップにおけるビットを決定することを実現させる。
【００９７】
第２適用シナリオとして、前記スプリットＤＲＢであり、前記非スプリットＤＲＢは、重複データ伝送機能が設定された非スプリットＤＲＢである。
【００９８】
一実施形態として、指示指示情報は、指示ビットを含み、前記プロセッサ４１は前記プログラムを実行する時、ＭＣＧ又はＳＣＧに対応して受信したビットマップを前記ＤＲＢのために選択し、前記指示ビットに基づいて、前記ビットマップにおけるビットを決定することを実現させる。
【００９９】
別の実施形態として、前記プロセッサ４１は前記プログラムを実行する時、ＭＣＧ又はＳＣＧに対応して受信したビットマップを前記ＤＲＢのために選択し、前記ＤＲＢの識別子に基づいて、前記ビットマップにおけるビットを決定することを実現させる。
【０１００】
ここで、異なるセルグループの非スプリットＤＲＢに対応して設定された指示情報における指示ビットは同一であるか、又は異なる。
【０１０１】
本実施例において、前記プロセッサ４１は前記プログラムを実行する時、前記ＤＲＢの識別子と他のＤＲＢに対応する識別子をランク付けし、前記ＤＲＢの識別子のランキングの位置に応じて、前記ビットマップにおけるビットを決定し、ここで、前記ランキングは、昇順のランキング又は降順のランキングを含むことを実現させる。
【０１０２】
一実施形態として、前記プロセッサ４１は前記プログラムを実行する時、ＤＲＢに対応して設定された指示情報及び／又は所定のルールに応じて、受信したビットマップにおけるビットを決定する前に、ＭＣＧに対応するＭＡＣエンティティ及びＳＣＧに対応するＭＡＣエンティティのビットマップをそれぞれ受信することを実現させる。
【０１０３】
ここで、前記プロセッサ４１は前記プログラムを実行する時、第１ＭＡＣエンティティによって、ＭＣＧに対応するＭＡＣエンティティの第１ＭＡＣ  ＣＥを受信し、前記第１ＭＡＣ  ＣＥにおけるビットマップを取得し、第２ＭＡＣエンティティによって、ＳＣＧに対応するＭＡＣエンティティの第２ＭＡＣ  ＣＥを受信し、前記第２ＭＡＣ  ＣＥにおけるビットマップを取得することを実現させる。
【０１０４】
ここで、前記プロセッサ４１は前記プログラムを実行する時、ＰＤＣＰエンティティによって、前記ビットの値に基づいて、前記ＤＲＢの重複データ伝送機能のアクティブ化／非アクティブ化を決定し、前記ＰＤＣＰエンティティが前記ＤＲＢに対応することを実現させる。
【０１０５】
実施例４
本発明の実施例は、コンピュータ記憶媒体を更に提供する。例えば、図６に示した、コンピュータプログラムが記憶されているメモリ４２を備え、上記コンピュータプログラムは装置のプロセッサ４１により実行されて、前記方法に記載のステップを完了する。コンピュータ記憶媒体は、ＦＲＡＭ、ＲＯＭ、ＰＲＯＭ、ＥＰＲＯＭ、ＥＥＰＲＯＭ、Ｆｌａｓｈ  Ｍｅｍｏｒｙ、磁気面メモリ、光ディスク又はＣＤ−ＲＯＭ等のメモリであってもよく、上記メモリのうちの１つ又は任意の組み合わせを含む様々な装置であってもよい。
【０１０６】
本実施例において、本実施例が提供するコンピュータ記憶媒体には、コンピュータプログラムが記憶されており、該コンピュータプログラムがプロセッサにより実行される時、ＤＲＢに対応して設定された指示情報及び／又は所定のルールに応じて、受信したビットマップにおけるビットを決定し、前記ビットマップは、受信した２つのビットマップのうちの１つであり、前記ビットの指示に基づいて前記ＤＲＢの重複データ伝送機能のアクティブ化／非アクティブ化を決定することを実行する。
【０１０７】
第１適用シナリオにおいて、前記ＤＲＢはスプリットＤＲＢであり、前記スプリットＤＲＢは、重複データ伝送機能が設定されたスプリットＤＲＢである。
【０１０８】
一実施形態として、前記指示情報は、指示識別子と指示ビットとを含み、該コンピュータプログラムがプロセッサにより実行される時、前記指示識別子に基づいて、マスターセルグループ（ＭＣＧ）又はセカンダリセルグループ（ＳＣＧ）に対応して受信したビットマップを前記ＤＲＢのために選択し、前記指示ビットに基づいて、前記ビットマップにおけるビットを決定することを実行する。
【０１０９】
別の実施形態として、、前記指示情報は、指示識別子を含み、該コンピュータプログラムがプロセッサにより実行される時、前記指示識別子に基づいて、ＭＣＧ又はＳＣＧに対応して受信したビットマップを前記ＤＲＢのために選択し、前記ＤＲＢの識別子に基づいて前記ビットマップにおけるビットを決定することを実行する。
【０１１０】
第２適用シナリオとして、前記スプリットＤＲＢであり、前記非スプリットＤＲＢは、重複データ伝送機能が設定された非スプリットＤＲＢである。
【０１１１】
一実施形態として、指示指示情報は、指示ビットを含み、該コンピュータプログラムがプロセッサにより実行される時、ＭＣＧ又はＳＣＧに対応して受信したビットマップを前記ＤＲＢのために選択し、前記指示ビットに基づいて、前記ビットマップにおけるビットを決定することを実行する。
【０１１２】
別の実施形態として、該コンピュータプログラムがプロセッサにより実行される時、ＭＣＧ又はＳＣＧに対応して受信したビットマップを前記ＤＲＢのために選択し、前記ＤＲＢの識別子に基づいて、前記ビットマップにおけるビットを決定することを実行する。
【０１１３】
ここで、異なるセルグループの非スプリットＤＲＢに対応して設定された指示情報における指示ビットは同一であるか、又は異なる。
【０１１４】
本実施例において、該コンピュータプログラムがプロセッサにより実行される時、前記ＤＲＢの識別子と他のＤＲＢに対応する識別子をランク付けし、前記ＤＲＢの識別子のランキングの位置に応じて、前記ビットマップにおけるビットを決定し、ここで、前記ランキングは、昇順のランキング又は降順のランキングを含むことを実行する。
【０１１５】
一実施形態として、該コンピュータプログラムがプロセッサにより実行される時、ＤＲＢに対応して設定された指示情報及び／又は所定のルールに応じて、受信したビットマップにおけるビットを決定する前に、ＭＣＧに対応するＭＡＣエンティティ及びＳＣＧに対応するＭＡＣエンティティのビットマップをそれぞれ受信することを実行する。
【０１１６】
ここで、該コンピュータプログラムがプロセッサにより実行される時、第１ＭＡＣエンティティによって、ＭＣＧに対応するＭＡＣエンティティの第１ＭＡＣ  ＣＥを受信し、前記第１ＭＡＣ  ＣＥにおけるビットマップを取得し、第２ＭＡＣエンティティによって、ＳＣＧに対応するＭＡＣエンティティの第２ＭＡＣ  ＣＥを受信し、前記第２ＭＡＣ  ＣＥにおけるビットマップを取得することを実行する。
【０１１７】
ここで、該コンピュータプログラムがプロセッサにより実行される時、ＰＤＣＰエンティティによって、前記ビットの値に基づいて、前記ＤＲＢの重複データ伝送機能のアクティブ化／非アクティブ化を決定し、前記ＰＤＣＰエンティティが前記ＤＲＢに対応することを実行する。
【０１１８】
本発明で提供する幾つかの実施例で開示したシステム、装置及び方法は、他の方式によって実現できることを理解すべきである。例えば、以上に記載した装置の実施例はただ例示的なもので、例えば、前記ユニットの分割はただロジック機能の分割で、実際に実現する時は他の分割方式によってもよい。例えば、複数のユニット又は組立体を組み合わせてもよく、別のシステムに組み込んでもよい。又は若干の特徴を無視してもよく、実行しなくてもよい。また、示したか或いは検討した相互間の結合又は直接的な結合又は通信接続は、幾つかのインタフェース、装置又はユニットによる間接的な結合又は通信接続であってもよく、電気的、機械的または他の形態であってもよい。
【０１１９】
分離部材として説明した該ユニットは、物理的に別個のものであってもよく、そうでなくてもよい。ユニットとして示された部材は、物理的ユニットであってもよく、そうでなくてもよい。即ち、同一の位置に位置してもよく、複数のネットワークに分布してもよい。実際の需要に応じてそのうちの一部又は全てのユニットにより本実施例の方策の目的を実現することができる。
【０１２０】
また、本発明の各実施例における各機能ユニットは一つの処理ユニットに集積されてもよく、各ユニットが物理的に別個のものとして存在してもよく、２つ以上のユニットが一つのユニットに集積されてもよい。上記集積したユニットはハードウェアとして実現してもよく、ハードウェアとソフトウェア機能ユニットと、を組み合わせて実現してもよい。
【０１２１】
上記各方法に係る実施例の全部又は一部のステップはプログラム命令に係るハードウェアにより実現され、前記プログラムはコンピュータ読み取り可能な記憶媒体に記憶され、該プログラムが実行される時、上記方法の実施例におけるステップを実行し、前記記憶媒体は、携帯型記憶装置、ＲＯＭ、ＲＡＭ、磁気ディスク又は光ディスクなど、プログラムコードを記憶可能な各種の媒体を含む。
【０１２２】
又は、本発明の上記集積したユニットがソフトウェア機能ユニットの形で実現され、かつ独立した製品として販売または使用されるとき、コンピュータにより読み取り可能な記憶媒体内に記憶されてもよい。このような理解のもと、本発明の技術的解決手段は、本質的に、又は、従来技術に対して貢献をもたらした部分又は該技術的解決手段の一部は、ソフトウェア製品の形式で具現することができ、このようなコンピュータソフトウェア製品は、記憶媒体に記憶しても良く、また、コンピュータ設備（パソコン、サーバ、又はネットワーク装置など）に、本発明の各実施例に記載の方法の全部又は一部のステップを実行させるための若干の命令を含む。前記の記憶媒体は、携帯型記憶装置、ＲＯＭ、ＲＡＭ、磁気ディスク、又は光ディスクなど、プログラムコードを記憶可能な各種の媒体を含む。
【０１２３】
以上は本発明の具体的な実施形態に過ぎず、本発明の保護の範囲はそれらに制限されるものではなく、当業者が本発明に開示された技術範囲内で容易に想到しうる変更や置換はいずれも、本発明の保護範囲内に含まれるべきである。従って、本発明の保護範囲は特許請求の範囲の保護範囲を基準とするべきである。
【図１ａ】
2021501494.tif 000003
【図１ｂ】
2021501494.tif 000004
【図２】
2021501494.tif 000005
【図３】
2021501494.tif 000006
【図４】
2021501494.tif 000007
【図５】
2021501494.tif 000008
【図６】
2021501494.tif 000009
【手続補正書】
【提出日】令和2年9月1日(2020.9.1)
【手続補正１】
【補正対象書類名】特許請求の範囲
【補正対象項目名】全文
【補正方法】変更
【補正の内容】
【特許請求の範囲】
【請求項１】
重複データ伝送機能を制御する方法であって、前記方法は、
端末が、データ無線ベアラ（ＤＲＢ）に対応して設定された指示情報及び／又は所定のルールに応じて、受信したビットマップにおけるビットを決定することであって、前記ビットマップは、受信した２つのビットマップのうちの１つであることと、
前記端末が、前記ビットの指示に基づいて前記ＤＲＢの重複データ伝送機能のアクティブ化／非アクティブ化を決定することと、を含む、前記方法。
【請求項２】
前記ＤＲＢはスプリットＤＲＢであり、前記スプリットＤＲＢは重複データ伝送機能が設定されたスプリットＤＲＢであることを特徴とする
請求項１に記載の方法。
【請求項３】
前記指示情報は、指示識別子と指示ビットとを含み、
前記端末が、ＤＲＢに対応して設定された指示情報に応じて、受信したビットマップにおけるビットを決定することは、
前記端末が、前記指示識別子に基づいて、マスターセルグループ（ＭＣＧ）又はセカンダリセルグループ（ＳＣＧ）に対応して受信したビットマップを前記ＤＲＢのために選択することと、
前記端末が、前記指示ビットに基づいて、前記ビットマップにおけるビットを決定することと、を含むことを特徴とする
請求項２に記載の方法。
【請求項４】
前記指示情報は、指示識別子を含み、
前記端末が、ＤＲＢに対応して設定された指示情報及び所定のルールに応じて、受信したビットマップにおけるビットを決定することは、
前記端末が、前記指示識別子に基づいて、ＭＣＧ又はＳＣＧに対応して受信したビットマップを前記ＤＲＢのために選択することと、
前記端末が、前記ＤＲＢの識別子に基づいて前記ビットマップにおけるビットを決定することと、を含むことを特徴とする
請求項２に記載の方法。
【請求項５】
前記ＤＲＢは非スプリットＤＲＢであり、前記非スプリットＤＲＢは、重複データ伝送機能が設定された非スプリットＤＲＢであることを特徴とする
請求項１に記載の方法。
【請求項６】
前記指示情報は、指示ビットを含み、
前記端末が、ＤＲＢに対応して設定された指示情報に基づいて、受信したビットマップにおけるビットを決定することは、
前記端末が、ＭＣＧ又はＳＣＧに対応して受信したビットマップを前記ＤＲＢのために選択することと、
前記端末が、前記指示ビットに基づいて、前記ビットマップにおけるビットを決定することと、を含むことを特徴とする
請求項５に記載の方法。
【請求項７】
前記端末が、所定のルールに応じて、受信したビットマップにおけるビットを決定することは、
前記端末が、ＭＣＧ又はＳＣＧに対応して受信したビットマップを前記ＤＲＢのために選択することと、
前記端末が、前記ＤＲＢの識別子に基づいて、前記ビットマップにおけるビットを決定することと、を含むことを特徴とする
請求項５に記載の方法。
【請求項８】
前記端末が、前記ＤＲＢの識別子に基づいて、前記ビットマップにおけるビットを決定することは、
前記端末が前記ＤＲＢの識別子と他のＤＲＢに対応する識別子をランク付けし、前記ＤＲＢの識別子のランキングの位置に応じて、前記ビットマップにおけるビットを決定することを含み、
ここで、前記ランキングは、昇順のランキング又は降順のランキングを含むことを特徴とする
請求項４又は７に記載の方法。
【請求項９】
データ伝送のための通信コンポーネントと、メモリと、プロセッサと、メモリに記憶され、プロセッサで実行可能なコンピュータプログラムとを備える端末であって、
前記プロセッサは、前記コンピュータプログラムを実行して、
データ無線ベアラ（ＤＲＢ）に対応して設定された指示情報及び／又は所定のルールに応じて、受信したビットマップにおけるビットを決定することであって、前記ビットマップは、受信した２つのビットマップのうちの１つであることと、
前記ビットの指示に基づいて前記ＤＲＢの重複データ伝送機能のアクティブ化／非アクティブ化を決定することと、を実行するように構成される、前記端末。
【請求項１０】
前記ＤＲＢはスプリットＤＲＢであり、前記スプリットＤＲＢは重複データ伝送機能が設定されたスプリットＤＲＢであることを特徴とする
請求項９に記載の端末。
【請求項１１】
前記指示情報は、指示識別子と指示ビットとを含み、
前記プロセッサはさらに、前記コンピュータプログラムを実行して、
前記指示識別子に基づいて、マスターセルグループ（ＭＣＧ）又はセカンダリセルグループ（ＳＣＧ）に対応して受信したビットマップを前記ＤＲＢのために選択することと、
前記指示ビットに基づいて、前記ビットマップにおけるビットを決定することと、を実行するように構成されることを特徴とする
請求項１０に記載の端末。
【請求項１２】
前記指示情報は、指示識別子を含み、
前記プロセッサはさらに、前記コンピュータプログラムを実行して、
前記指示識別子に基づいて、ＭＣＧ又はＳＣＧに対応して受信したビットマップを前記ＤＲＢのために選択することと、
前記ＤＲＢの識別子に基づいて前記ビットマップにおけるビットを決定することと、を実行するように構成されることを特徴とする
請求項１０に記載の端末。
【請求項１３】
前記ＤＲＢは非スプリットＤＲＢであり、前記非スプリットＤＲＢは、重複データ伝送機能が設定された非スプリットＤＲＢであることを特徴とする
請求項９に記載の端末。
【請求項１４】
前記プロセッサはさらに、前記コンピュータプログラムを実行して、
ＭＣＧ又はＳＣＧに対応して受信したビットマップを前記ＤＲＢのために選択することと、
前記ＤＲＢの識別子に基づいて、前記ビットマップにおけるビットを決定することと、を実行するように構成されることを特徴とする
請求項１３に記載の端末。
【請求項１５】
前記プロセッサはさらに、前記コンピュータプログラムを実行して、
前記ＤＲＢの識別子と他のＤＲＢに対応する識別子をランク付けし、前記ＤＲＢの識別子のランキングの位置に応じて、前記ビットマップにおけるビットを決定することを実行するように構成され、
ここで、前記ランキングは、昇順のランキング又は降順のランキングを含むことを特徴とする
請求項１２又は１４に記載の端末。
【国際調査報告】
2021501494.tif 000010
2021501494.tif 000011
2021501494.tif 000012
2021501494.tif 000013